(57)【要約】【課題】  野縁を取付ける吊り下げ用部材が断面が上方に開口する略コ字状又は略Ｕ字状をした屋根トラス下弦材であっても、野縁を取り付ける際には野縁を容易に側方から挿入して取付け可能な天井下地の取付構造を提供する。【解決手段】  野縁１が側方から取付けられる野縁受け２を吊部材３を介して屋根トラス下弦材４から吊下げる天井下地の取付構造。吊部材３を下端部に野縁受け連結部３０を備えた本体部３１と該本体部３１の上端部に設けた下方に開口する略コ字状又は略Ｕ字状をした鉤部３２とからなる略逆Ｊ字状に形成した。予め野縁受け２の長手方向の複数箇所に取付けた吊部材３を夫々その鉤部３２の先端片３３の内面の上当接部３３ａが断面が上方に開口する略コ字状又は略Ｕ字状をした屋根トラス下弦材４の側縦片４１の内面４１ａに当接すると共に本体部３１下部の下当接部３１ａが側縦片４１の外面４１ｂに当接するように側縦片４１に引掛けた。【選択図】        図１
2005139637.tif 000002
【特許請求の範囲】
【請求項１】
野縁が側方から取り付けられる長尺の野縁受けを吊部材を介して屋根トラス下弦材から吊り下げる天井下地の取付構造であって、吊部材を下端部に野縁受け連結部を備えた本体部と該本体部の上端部に設けた下方に開口する略コ字状又は略Ｕ字状をした鉤部とからなる略逆Ｊ字状に形成し、予め野縁受けの長手方向の複数箇所に取り付けた吊部材をそれぞれその鉤部の先端片の内面の上当接部が断面が上方に開口する略コ字状又は略Ｕ字状をした屋根トラス下弦材の側縦片の内面に当接すると共に本体部下部の下当接部が屋根トラス下弦材の側縦片の外面に当接するように屋根トラス下弦材の側縦片に引っ掛けて成ることを特徴とする天井下地の取付構造。
【請求項２】
吊部材の鉤部の鉤溝幅を該鉤部の先端片の上当接部と本体部の下当接部との面間隔よりも幅広に形成するとともに、本体部の下当接部の下側部分に該吊部材を屋根トラス下弦材の側縦片に引っ掛けた時に屋根トラス下弦材の底面に当接する底面当接部を突設して成ることを特徴とする請求項１記載の天井下地の取付構造。
【請求項３】
鉤溝内に挿入される屋根トラス下弦材の側縦片を鉤部の上当接部に押圧する押圧部材を鉤部に設けて成ることを特徴とする請求項２記載の天井下地の取付構造。
【請求項４】
鉤部の先端片の上当接部と対向する内面と本体部の下当接部とを斜面で連結して成ることを特徴とする請求項２又は３記載の天井下地の取付構造。
【発明の詳細な説明】
【技術分野】
【０００１】
本発明は、野縁が側方から取り付けられる長尺の野縁受けを吊部材を介して屋根トラス下弦材から吊り下げて構成される天井下地の取付構造に関するものである。
【背景技術】
【０００２】
従来から、野縁や天井パネル等の天井材に設けた横スリットを野縁受けや上階の床から垂下される枠材等の吊り下げ用の部材の水平片に側方から被嵌して取り付ける天井下地の取付構造が知られている（例えば特許文献１参照）。
【０００３】
このようなものにあっては、天井材を側方から取り付けることができて作業性が良いものの、吊り下げ用の部材の水平片が側方に突出するものでない場合、例えば吊り下げ用の部材が上方に開口する略コ字状又は略Ｕ字状をしている場合、天井材を側方から取り付けることができないものであった。
【特許文献１】特開平１０−２９２５４８号公報
【発明の開示】
【発明が解決しようとする課題】
【０００４】
本発明は上記の従来の問題点に鑑みて発明したものであって、その目的とするところは、野縁を取り付けるための吊り下げ用の部材が断面が上方に開口する略コ字状又は略Ｕ字状をした屋根トラス下弦材であっても、野縁を取り付ける際には野縁を容易に側方から挿入して取り付けることができる天井下地の取付構造を提供することを課題とするものである。
【課題を解決するための手段】
【０００５】
上記課題を解決するために請求項１に係る発明にあっては、野縁１が側方から取り付けられる長尺の野縁受け２を吊部材３を介して屋根トラス下弦材４から吊り下げる天井下地の取付構造であって、吊部材３を下端部に野縁受け連結部３０を備えた本体部３１と該本体部３１の上端部に設けた下方に開口する略コ字状又は略Ｕ字状をした鉤部３２とからなる略逆Ｊ字状に形成し、予め野縁受け２の長手方向の複数箇所に取り付けた吊部材３をそれぞれその鉤部３２の先端片３３の内面の上当接部３３ａが断面が上方に開口する略コ字状又は略Ｕ字状をした屋根トラス下弦材４の側縦片４１の内面４１ａに当接すると共に本体部３１下部の下当接部３１ａが屋根トラス下弦材４の側縦片４１の外面４１ｂに当接するように屋根トラス下弦材４の側縦片４１に引っ掛けて成ることを特徴とするものである。このような構成とすることで、断面が上方に開口する略コ字状又は略Ｕ字状をした屋根トラス下弦材４に横スリット１２付きの取付け用部材を設けた野縁１を側方から取り付けようとする場合でも、屋根トラス下弦材４に取り付けた吊部材３及び野縁受け２を介して該野縁受け２に側方から取り付けることができて、作業性が向上し、また、吊部材３を介して野縁受け２を屋根トラス下弦材４に沿って配設する際、予め長手方向の複数箇所に取り付けた吊部材３の鉤部３２をまとめて同時に上述したように屋根トラス下弦材４の側縦片４１に引っ掛け係止して取り付けることができて、この点においても作業性が向上するものである。
【０００６】
また、請求項２の発明は、請求項１の発明において、吊部材３の鉤部３２の鉤溝３４幅を該鉤部３２の先端片３３の上当接部３３ａと本体部３１の下当接部３１ａとの面間隔よりも幅広に形成するとともに、本体部３１の下当接部３１ａの下側部分に該吊部材３を屋根トラス下弦材４の側縦片４１に引っ掛けた時に屋根トラス下弦材４の底面に当接する底面当接部６を突設して成ることを特徴とするものである。このような構成とすることで、底面当接部６が屋根トラス下弦材４の底面に当接して鉤部３２の側縦片４１への引っ掛け係止が外れるのが防止される。
【０００７】
また、請求項３の発明は、請求項２の発明において、鉤溝３４内に挿入される屋根トラス下弦材４の側縦片４１を鉤部３２の上当接部３３ａに押圧する押圧部材７を鉤部３２に設けて成ることを特徴とするものである。このような構成とすることで、鉤溝３４内で側縦片４１が移動して底面当接部６の屋根トラス下弦材４底面への当接が外れて吊部材３の側縦片４１への引っ掛け係止が外れるのを防止することができる。
【０００８】
また、請求項４の発明は、請求項２又は３の発明において、鉤部３２の先端片３３の上当接部３３ａと対向する内面３３ｂと本体部３１の下当接部３１ａとを斜面で連結して成ることを特徴とするものである。このような構成とすることで、吊部材３を側縦片４１にスムーズに引っ掛けることができる。
【発明の効果】
【０００９】
本発明にあっては、断面が上方に開口する略コ字状又は略Ｕ字状をした屋根トラス下弦材に野縁受け及び吊部材を介して野縁を容易に側方から挿入して取り付けることが可能となる。
【発明を実施するための最良の形態】
【００１０】
以下、本発明を添付図面に示す実施形態に基いて説明する。本発明の天井下地の取付構造は、野縁１が側方から取り付けられる長尺の野縁受け２を吊部材３を介して屋根トラス下弦材４から吊り下げて構成されるもので、以下に詳述する。
【００１１】
屋根トラス下弦材４は、図１，図２に示すように、断面が上方に開口する略コ字状又は略Ｕ字状をした屋根トラスＴの下端部に配置されるもので、本実施形態では底片４０と両側縦片４１とからなる断面略コ字状をした軽鉄等からなるものである。なお、屋根トラスではなく上横材、下横材及び斜材からなるラチス梁を備えたものの場合には、断面が上方に開口する略コ字状又は略Ｕ字状をした下横材を屋根トラス下弦材４と同様に用いることができる。そして、この屋根トラス下弦材４に沿って長尺の野縁受け２を配設するのであるが、これには前記野縁受け２の長手方向に予め複数設けた吊部材３を介して行うものである。
【００１２】
吊部材３は、図３に示すように、本体部３１と、前記本体部３１の下端部に設けた野縁受け連結部３０と、前記本体部３１の上端部に設けた下方に開口する略コ字状又は略Ｕ字状をした鉤部３２とからなる側面視略逆Ｊ字状に形成したものである。本実施形態では、吊部材３は溶融亜鉛メッキ鋼材製のもので、本体部３１と鉤部３２の部分は、背板部３ａと両側板部３ｂとからなる平面視略コ字状をして且つ、側面視における形状は前記平面視略コ字状の両自由端側が下方に屈曲した略逆Ｊ字状となったもので、後で詳述する。また野縁受け連結部３０は、背板部３ａの下端部から側板部３ｂと反対側に突出するように連設した横板で、野縁受け連結部材５が取り付けられる取付穴３０ａが中央部に螺設してある。
【００１３】
吊部材３の野縁受け連結部３０には野縁受け連結部材５が取り付けられると共に、この野縁受け連結部材５に野縁受け２が取り付けられる。野縁受け連結部材５は、図１等に示すように、外面にねじを螺設した吊軸部５１と、この吊軸部５１に野縁受け２を取り付けるためのナット５２とからなる。また野縁受け２は、図４に示すように、本実施形態では野縁１が挿入される端部と反対側の端部が上方に屈曲した断面略Ｌ字状をした軽鉄等からなるもので、屋根トラス下弦材４に沿って配設されるように長尺に形成してある。この野縁受け２の水平片２１には、吊軸部５１が挿通される長穴状の挿通穴２２が長手方向に複数形成してある。
【００１４】
野縁受け２には、複数形成した挿通穴２２の適宜箇所にそれぞれ前記吊軸部５１を挿通すると共に、該吊軸部５１に螺入した二つのナット５２で上下から締結して野縁受け連結部材５を固定する。また、各野縁受け連結部材５はその吊軸部５１の上部が吊部材３の野縁受け連結部３０の取付穴３０ａに螺入されて吊部材３に取り付けられた状態となっている。そして、この野縁受け２は屋根トラス下弦材４の下方に配設された状態で、その水平片２１の自由端に側方から野縁１に取り付けた取付用部材１１の横スリット１２が被嵌されて野縁１が取り付けられるものである。
【００１５】
このように野縁受け２に予め長手方向の複数箇所に野縁受け連結部材５を介して吊部材３を取り付けた状態で、それぞれの吊部材３の鉤部３２を屋根トラス下弦材４の側縦片４１に引っ掛け係止するもので、以下に説明する。
【００１６】
鉤部３２は下方に開口する側面視略コ字状をしており、上述したように本体部３１と一体的に形成されて該本体部３１及び鉤部３２とで断面略逆Ｊ字状をしている。鉤部３２は、屋根トラス下弦材４の側縦片４１に引っ掛けた時に、その先端片３３（即ち、略コ字状をした鉤部３２のうち本体部３１と連続している側と反対の自由端側片）の内面が屋根トラス下弦材４の側縦片４１の内面４１ａに当接する上当接部３３ａとなっており、またこの時、本体部３１の前記先端片３３と対向する表面の下部は屋根トラス下弦材４の側縦片４１の外面４１ｂに当接する下当接部３１ａとなっている。このように、吊部材３を屋根トラス下弦材４の側縦片４１に引っ掛けた状態で鉤部３２の上当接部３３ａが屋根トラス下弦材４の側縦片４１の内面４１ａ上部に当接すると共に、本体部３１の下当接部３１ａが屋根トラス下弦材４の側縦片４１の外面４１ｂ下部に当接することで、野縁１の重量及び該重量によるモーメント、即ち、吊部材３の背板部３ａの下端部から鉤部３２と反対側に突出する野縁受け連結部３０に掛かる力によるモーメントを受けることができる。またこの時、屋根トラス下弦材４の側縦片４１の内面４１ａ及び外面４１ｂにそれぞれ当接している鉤部３２の上当接部３３ａと本体部３１の下当接部３１ａの面間隔は、屋根トラス下弦材４の側縦片４１の厚みとほぼ同じになるように形成してあり、上当接部３３ａと下当接部３１ａとががたつきなく屋根トラス下弦材４の側縦片４１に面接触する。
【００１７】
このようにすることで、断面が上方に開口する略コ字状又は略Ｕ字状をした屋根トラス下弦材４に横スリット１２を設けた野縁１を側方から取り付けようとする場合でも、直接屋根トラス下弦材４に野縁１を取り付けられないものの屋根トラス下弦材４に取り付けた吊部材３及び野縁受け２を介して該野縁受け２に側方から取り付けることができて、作業性が向上するものである。また、吊部材３を介して野縁受け２を屋根トラス下弦材４に沿って配設する際、予め長手方向の複数箇所に取り付けた吊部材３の鉤部３２をまとめて同時に上述したように屋根トラス下弦材４の側縦片４１に引っ掛け係止して取り付けることができて、この点においても作業性が向上するものである。
【００１８】
更に本実施形態においては、吊部材３の鉤部３２の鉤溝３４幅を該鉤部３２の先端片３３の上当接部３３ａと本体部３１の下当接部３１ａとの面間隔よりも幅広に形成し、該吊部材３を屋根トラス下弦材４の側縦片４１に引っ掛けた時に屋根トラス下弦材４の底面に当接する底面当接部６を本体部３１の下当接部３１ａの下側部分に突設している。
【００１９】
これは、吊部材３の鉤部３２を屋根トラス下弦材４の側縦片４１に引っ掛けただけでは、野縁１に何らかの上向きの力が加わった時に吊部材３の鉤部３２が屋根トラス下弦材４の側縦片４１の上端部から外れてしまう惧れがあるが、底面当接部６を設けることでこれが屋根トラス下弦材４の底面に当接して鉤部３２の側縦片４１への引っ掛け係止が外れるのが防止される。またこの時、鉤溝３４幅、即ち、鉤部３２の上当接部３３ａと該上当接部３３ａと対向する内面３３ｂとの面間隔を上当接部３３ａと下当接部３１ａとの面間隔よりも幅広に形成することで、吊部材３の本体部３１の下端部から底面当接部６が突出していても吊部材３を屋根トラス下弦材４の側縦片４１に引っ掛けることができる。この場合、図５（ａ）（ｂ）（ｃ）（ｄ）に示すように、吊部材３をその底面当接部６を屋根トラス下弦材４の側縦片４１の外側に位置するように傾斜させた状態で鉤溝３４を屋根トラス下弦材４の側縦片４１の上端部に被嵌し、吊部材３を下げて鉤溝３４内の上方に側縦片４１を挿入していくと共に吊部材３の下端部が屋根トラス下弦材４側に移動するように傾けて底面当接部６を屋根トラス下弦材４の底片４０下面に当接させるものである。またこの時、屋根トラス下弦材４の側縦片４１は鉤溝３４幅より小さくて鉤溝３４内で動き得るため、本実施形態では側縦片４１の内面４１ａを鉤部３２の上当接部３３ａに当接させるように押圧部材７で押圧するようにしてある。押圧部材７は、本体部３１の背板部３ａに螺設したネジ孔３５に螺入するボルトからなり、このボルトを螺入してその先端で側縦片４１を押圧することができ、これにより、鉤溝３４内で側縦片４１が移動して吊部材３の側縦片４１への引っ掛け係止が外れるのを防止することができる。
【００２０】
また、鉤部３２の上当接部３３ａと対向する内面３３ｂと下当接部３１ａとを斜面で連結することで、吊部材３を側縦片４１にスムーズに引っ掛けることができる。
【図面の簡単な説明】
【００２１】
【図１】本発明の一実施形態の要部側断面図である。
【図２】同上の全体概略斜視図である。
【図３】同上の吊部材を示し、（ａ）は平面図であり、（ｂ）は側面図であり、（ｃ）は背面図である。
【図４】同上の野縁受け及び該野縁受けに取り付ける野縁受け連結部材の分解斜視図である。
【図５】（ａ）（ｂ）（ｃ）（ｄ）は吊部材の屋根トラス下弦材の側縦片への取り付けを説明する説明図である。
【符号の説明】
【００２２】
１      野縁
２      野縁受け
３      吊部材
３０    野縁受け連結部
３１    本体部
３１ａ  下当接部
３２    鉤部
３３    先端片
３３ａ  上当接部
４      屋根トラス下弦材
４１    側縦片
【図１】
2005139637.tif 000003
【図２】
2005139637.tif 000004
【図３】
2005139637.tif 000005
【図４】
2005139637.tif 000006
【図５】
2005139637.tif 000007